【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】  （ｉ）（ａ）ポリマー粒子の少なくとも一部を被覆する添加剤、（ｂ）該添加剤を水性組成物中に乳化又は分散させるための、有効量の、ジカルボン酸成分及びジオール成分及び芳香族核に結合したＳＯ3 Ｍ基（式中、Ｍは、水素、Ｎａ+ 、Ｌｉ+ 、Ｋ+ 、Ｍｇ++、Ｃａ++、Ｃｕ++、Ｆｅ++、Ｆｅ+++ 又はこれらの組合せからなる群から選択される）を含有する二官能性モノマーから誘導された水散逸性ポリエステル並びに（ｃ）５〜９５重量％の水（但し、これらのパーセントは、成分（ａ）〜（ｃ）の全重量基準である）を含んでなる水性組成物を準備し、
（ｉｉ）前記ポリマー粒子を前記水性組成物と接触せしめ、そしてその混合物を十分撹拌して均質なブレンドを生成せしめ、
（ｉｉｉ）得られたポリマー粒子を乾燥させること
を含んでなるポリマー粒子に添加剤を適用する方法であって、
疎水性添加剤がテトラキス〔メチレン  ３−（３′，５′−ジ−ｔｅｒｔ−ブチル−４′−ヒドロキシフェニル）プロピオネート〕メタン、オクタデシル  ３−（３′，５′−ジ−ｔ−ブチル−４−ヒドロキシフェニル）プロピオネート、１，３，５−トリメチル−２，４，６−トリス−（３，５−ジ−ｔ−ブチル）−４−（ヒドロキシベンジル）ベンゼン、ビス（２，４−ジ−ｔ−ブチルフェニル）ペンタエリスリトールジホスファイト、トリス（モノノニルフェニル）ホスファイト、４，４′−ブチリデン−ビス（５−メチル−２−ｔ−ブチル）フェノール、トリス（３，５−ジ−ｔ−ブチル−４−ヒドロキシベンジル）イソシアヌレート、トリス−ノニルフェニルホスファイト、ジステアリル  ペンタエリスリトールジホスファイト、テトラキス−（２，４−ジ−ｔ−ブチルフェニル）−４，４′−ビフェニレンジホスホナイト、トリス−（２，３−ジ−ｔ−ブチルフェニル）ホスファイト、ブチル化ヒドロキシトルエン、ジセチルチオジプロピオネート、ジミリスチルチオジプロピオネート、ポリ（１，４−シクロヘキシレン−ジメチレン−３，３′−チオジプロピオネート（部分的にステアリルアルコールで末端閉塞されている）、シラン、チタネート、クロム錯体、低分子量ポリオレフィン（カルボキシル部分を有する）、高分子量ポリオレフィン、アクリレート（カルボキシル部分を有する）、塩素化パラフィン、グリセロールモノステアレート、エトキシル化アミン、ポリエチレングリコール、第四級アンモニウム化合物及びその塩、安息香酸ナトリウム、ジフェニルホスフィン酸及びマグネシウム、ナトリウム、カルシウム、アルミニウムの塩、フェニルホスフィン酸及びその塩、フェニル亜リン酸及びその塩、オキサリル  ビス（ベンジリデンヒドラジド）、２，２′−オキサミド  ビス−（エチル  ３−（３，５−ジ−ｔ−ブチル−４−ヒドロキシフェニル）プロピオネート、珪藻シリカ、沈降シリカ、シリカゲル、タルク、クレー、ステアリン酸金属、アルキル  ビス−ステアラミド、グリセロールモノステアレート、ポリエチレングリコール、エルカミド、オレアミド、２−ヒドロキシ−４−オクトキシベンゾフェノン、２−ヒドロキシ−４−イソオクトキシベンゾフェノン、４−ヒドロキシ−４−ｎ−ドデシルオキシベンゾフェノン、２−（３−ジ−ｔ−ブチル−２−ヒドロキシ−５−メチルフェニル−５−クロロベンゾトリアゾール、２−（２−ヒドロキシ−３，５−ジ−ｔ−アミルフェニル）ベンゾトリアゾール、ｐ−ｔ−ブチルフェニルサリシレート、２，４−ジ−ｔ−ブチルフェニル−３，５−ジ−ｔ−ブチル−４−ヒドロキシベンゾエート、ニッケル  ビス−オルト−エチル（３，５−ジ−ｔ−ブチル−４−ヒドロキシベンジル）ホスホネート、２，２′，６，６′−テトラメチル−４−ピペリジニルセバケート、デカブロモジフェニルオキシド、ドデカクロロジメタンジベンゾシクロオクタン、エチレン  ビス−ジブロモノルボルネンジカルボキシイミド、エチレン  ビス−テトラブロモフタルイミド、三酸化アンチモン、メチルパラベン、エチルパラベン、プロピルパラベン、ハロゲン化アルキル有機化合物、ポリアミド、カーボンブラック、アンチモン金属、赤外吸収性化合物並びにこれらの���合物からなる群から選択される酸化防止剤、カップリング剤、耐電防止剤、核生成剤、金属失活剤、滑剤、スリップ剤、粘着防止剤、ＵＶ抑制剤、難燃剤、離型剤、顔料、着色剤、アセトアルデヒド減少化合物、再加熱助剤及びこれらの混合物からなる群から選択されるポリマー粒子に添加剤を適用する方法。
【請求項２】  該水散逸性ポリエステルの有効量が５〜５０重量％である請求項１に記載の方法。
【請求項３】  該水散逸性ポリエステルの有効量が１５〜５０重量％である請求項１に記載の方法。
【請求項４】  該水散逸性ポリエステルの該有効量が２５〜５０重量％である請求項１に記載の方法。
【請求項５】  該添加剤が０．５〜３５重量％の範囲内である請求項１〜４の何れか１項に記載の方法。
【請求項６】  該添加剤が２〜３０重量％の範囲内である請求項５に記載の方法。
【請求項７】  該添加剤が５〜２５重量％の範囲内である請求項５に記載の方法。
【請求項８】  該ポリマー粒子がポリプロピレン、低密度ポリエチレン、高密度ポリエチレン及び線状低密度ポリエチレンからなる群から選択されたポリオレフィン；ポリスチレン、ポリエステル、ポリアミド；結晶性プロピレンエチレンコポリマーからなる群から選択されたコポリマー、ゴム並びにこれらの混合物からなる群から選択される請求項１〜７の何れか１項に記載の方法。
【手続補正２】
【補正対象書類名】明細書
【補正対象項目名】０００６
【補正方法】変更
【補正の内容】
【０００６】
処理される粒子の物理的特性及び加工性に悪影響を与えることなく、粒子の安定性を向上させるためにポリマー粒子に添加剤を適用するための、利用可能な単純な方法を有することが望ましいであろう。
ＷＯ−Ａ−９９／０３９１４は粒子分散性の改良されたポリエステル／粘土粒子複合体を製造するプロセスが開示されており、このプロセスは水散逸性ポリエステルの水溶液及びポリエステル粒子を被覆する粘土を用いることによってポリエステル粒子上に粘土の被覆を形成せしめる工程を含む。
【手続補正３】
【補正対象書類名】明細書
【補正対象項目名】０００９
【補正方法】変更
【補正の内容】
【０００９】
本発明に従えば、（ｉ）（ａ）ポリマー粒子の少なくとも一部を被覆する添加剤、（ｂ）該添加剤を水性組成物中に乳化又は分散させるための、有効量の、ジカルボン酸成分及びジオール成分及び芳香族核に結合したＳＯ3 Ｍ基（式中、Ｍは、水素、Ｎａ+ 、Ｌｉ+ 、Ｋ+ 、Ｍｇ++、Ｃａ++、Ｃｕ++、Ｆｅ++、Ｆｅ+++ 又はこれらの組合せからなる群から選択される）を含有する二官能性モノマーから誘導された水散逸性ポリエステル並びに（ｃ）５〜９５重量％の水（但し、これらのパーセントは、成分（ａ）〜（ｃ）の全重量基準である）を含んでなる水性組成物を準備し、
（ｉｉ）前記ポリマー粒子を前記水性組成物と接触せしめ、そしてその混合物を十分撹拌して均質なブレンドを生成せしめ、
（ｉｉｉ）得られたポリマー粒子を乾燥させること
を含んでなるポリマー粒子に添加剤を適用する方法であって、
疎水性添加剤がテトラキス〔メチレン  ３−（３′，５′−ジ−ｔｅｒｔ−ブチル−４′−ヒドロキシフェニル）プロピオネート〕メタン、オクタデシル  ３−（３′，５′−ジ−ｔ−ブチル−４−ヒドロキシフェニル）プロピオネート、１，３，５−トリメチル−２，４，６−トリス−（３，５−ジ−ｔ−ブチル）−４−（ヒドロキシベンジル）ベンゼン、ビス（２，４−ジ−ｔ−ブチルフェニル）ペンタエリスリトールジホスファイト、トリス（モノノニルフェニル）ホスファイト、４，４′−ブチリデン−ビス（５−メチル−２−ｔ−ブチル）フェノール、トリス（３，５−ジ−ｔ−ブチル−４−ヒドロキシベンジル）イソシアヌレート、トリス−ノニルフェニルホスファイト、ジステアリル  ペンタエリスリトールジホスファイト、テトラキス−（２，４−ジ−ｔ−ブチルフェニル）−４，４′−ビフェニレンジホスホナイト、トリス−（２，３−ジ−ｔ−ブチルフェニル）ホスファイト、ブチル化ヒドロキシトルエン、ジセチルチオジプロピオネート、ジミリスチルチオジプロピオネート、ポリ（１，４−シクロヘキシレン−ジメチレン−３，３′−チオジプロピオネート（部分的にステアリルアルコールで末端閉塞されている）、シラン、チタネート、クロム錯体、低分子量ポリオレフィン（カルボキシル部分を有する）、高分子量ポリオレフィン、アクリレート（カルボキシル部分を有する）、塩素化パラフィン、グリセロールモノステアレート、エトキシル化アミン、ポリエチレングリコール、第四級アンモニウム化合物及びその塩、安息香酸ナトリウム、ジフェニルホスフィン酸及びマグネシウム、ナトリウム、カルシウム、アルミニウムの塩、フェニルホスフィン酸及びその塩、フェニル亜リン酸及びその塩、オキサリル  ビス（ベンジリデンヒドラジド）、２，２′−オキサミド  ビス−（エチル  ３−（３，５−ジ−ｔ−ブチル−４−ヒドロキシフェニル）プロピオネート、珪藻シリカ、沈降シリカ、シリカゲル、タルク、クレー、ステアリン酸金属、アルキル  ビス−ステアラミド、グリセロールモノステアレート、ポリエチレングリコール、エルカミド、オレアミド、２−ヒドロキシ−４−オクトキシベンゾフェノン、２−ヒドロキシ−４−イソオクトキシベンゾフェノン、４−ヒドロキシ−４−ｎ−ドデシルオキシベンゾフェノン、２−（３−ジ−ｔ−ブチル−２−ヒドロキシ−５−メチルフェニル−５−クロロベンゾトリアゾール、２−（２−ヒドロキシ−３，５−ジ−ｔ−アミルフェニル）ベンゾトリアゾール、ｐ−ｔ−ブチルフェニルサリシレート、２，４−ジ−ｔ−ブチルフェニル−３，５−ジ−ｔ−ブチル−４−ヒドロキシベンゾエート、ニッケル  ビス−オルト−エチル（３，５−ジ−ｔ−ブチル−４−ヒドロキシベンジル）ホスホネート、２，２′，６，６′−テトラメチル−４−ピペリジニルセバケート、デカブロモジフェニルオキシド、ドデカクロロジメタンジベンゾシクロオクタン、エチレン  ビス−ジブロモノルボルネンジカルボキシイミド、エチレン  ビス−テトラブロモフタルイミド、三酸化アンチモン、メチルパラベン、エチルパラベン、プロピルパラベン、ハロゲン化アルキル有機化合物、ポリアミド、カーボンブラック、アンチモン金属、赤外吸収性化合物並びにこれらの���合物からなる群から選択される酸化防止剤、カップリング剤、耐電防止剤、核生成剤、金属失活剤、滑剤、スリップ剤、粘着防止剤、ＵＶ抑制剤、難燃剤、離型剤、顔料、着色剤、アセトアルデヒド減少化合物、再加熱助剤及びこれらの混合物からなる群から選択されるポリマー粒子に添加剤を適用する方法が提供される。
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】変更
【補正の内容】
【００１２】
発明の詳細な説明
本発明により、ポリマー粒子に種々の添加剤を適用する水性組成物が提供される。この水性組成物には、少なくとも１種の添加剤、添加剤を少なくとも部分的に分散させるための、有効量の、ジカルボン酸成分及びジオール成分及び芳香族核に結合した−ＳＯ3 Ｍ単位を含有する二官能性モノマーから誘導された水散逸性ポリエステル並びに約５重量％〜約９５重量％の水（但し、これらのパーセントは、水性組成物中の成分の全重量基準である）が含まれる。
【手続補正６】
【補正対象書類名】明細書
【補正対象項目名】００１３
【補正方法】削除
【補正の内容】
【手続補正７】
【補正対象書類名】明細書
【補正対象項目名】００２５
【補正方法】変更
【補正の内容】
【００２５】
有利なことにそして全く予想外に、本発明の組成物により、疎水性材料について、水性分散液を使用してポリマー粒子を被覆することが可能になる。
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００５０
【補正方法】変更
【補正の内容】
【００５０】
本発明を、現在好ましい態様に関して説明したが、このような開示は本明細書の特許請求の範囲に記載した本発明を限定するとして解釈されるべきではないことが理解されるべきである。
以下に本発明の好ましい態様を記載する。
１．（ａ）ポリマー粒子の少なくとも一部を被覆する添加剤、（ｂ）該添加剤を少なくとも部分的に分散させるための、有効量の、ジカルボン酸成分及びジオール成分及び芳香族核に結合したＳＯ3 Ｍ基（式中、Ｍは、水素、Ｎａ+ 、Ｌｉ+ 、Ｋ+ 、Ｍｇ++、Ｃａ++、Ｃｕ++、Ｆｅ++、Ｆｅ+++ 又はこれらの組合せからなる群から選択される）を含有する二官能性モノマーから誘導された水散逸性ポリエステル並びに（ｃ）約５〜９５重量％の水（但し、これらのパーセントは、成分（ａ）〜（ｃ）の全重量基準である）を含んでなる水性組成物。
２．該水散逸性ポリエステルの有効量が約５〜５０重量％である態様１に記載の組成物。
３．該水散逸性ポリエステルの有効量が約１５〜５０重量％である態様１に記載の組成物。
４．該水散逸性ポリエステルの該有効量が約２５〜５０重量％である態様１に記載の組成物。
５．該添加剤が酸化防止剤、カップリング剤、耐電防止剤、核生成剤、金属失活剤、滑剤、スリップ剤、粘着防止剤、ＵＶ抑制剤、難燃剤、離型剤、顔料、着色剤、アセトアルデヒド減少化合物、再加熱助剤及びこれらの混合物からなる群から選択される前記何れかの態様に記載の組成物。
６．該添加剤がテトラキス〔メチレン  ３−（３′，５′−ジ−ｔｅｒｔ−ブチル−４′−ヒドロキシフェニル）プロピオネート〕メタン、オクタデシル  ３−（３′，５′−ジ−ｔ−ブチル−４−ヒドロキシフェニル）プロピオネート、１，３，５−トリメチル−２，４，６−トリス−（３，５−ジ−ｔ−ブチル）−４−（ヒドロキシベンジル）ベンゼン、ビス（２，４−ジ−ｔ−ブチルフェニル）ペンタエリスリトールジホスファイト、トリス（モノノニルフェニル）ホスファイト、４，４′−ブチリデン−ビス（５−メチル−２−ｔ−ブチル）フェノール、トリス（３，５−ジ−ｔ−ブチル−４−ヒドロキシベンジル）イソシアヌレート、トリス−ノニルフェニルホスファイト、ジステアリル  ペンタエリスリトールジホスファイト、テトラキス−（２，４−ジ−ｔ−ブチルフェニル）−４，４′−ビフェニレンジホスホナイト、トリス−（２，３−ジ−ｔ−ブチルフェニル）ホスファイト、ブチル化ヒドロキシトルエン、ジセチルチオジプロピオネート、ジミリスチルチオジプロピオネート、ポリ（１，４−シクロヘキシレン−ジメチレン−３，３′−チオジプロピオネート（部分的にステアリルアルコールで末端閉塞されている）、シラン、チタネート、クロム錯体、低分子量ポリオレフィン（カルボキシル部分を有する）、高分子量ポリオレフィン、アクリレート（カルボキシル部分を有する）、塩素化パラフィン、グリセロールモノステアレート、エトキシル化アミン、ポリエチレングリコール、第四級アンモニウム化合物及びその塩、安息香酸ナトリウム、ジフェニルホスフィン酸及びマグネシウム、ナトリウム、カルシウム、アルミニウムの塩、フェニルホスフィン酸及びその塩、フェニル亜リン酸及びその塩、オキサリル  ビス（ベンジリデンヒドラジド）、２，２′−オキサミド  ビス−（エチル  ３−（３，５−ジ−ｔ−ブチル−４−ヒドロキシフェニル）プロピオネート、珪藻シリカ、沈降シリカ、シリカゲル、タルク、クレー、ステアリン酸金属、アルキル  ビス−ステアラミド、グリセロールモノステアレート、ポリエチレングリコール、エルカミド、オレアミド、２−ヒドロキシ−４−オクトキシベンゾフェノン、２−ヒドロキシ−４−イソオクトキシベンゾフェノン、４−ヒドロキシ−４−ｎ−ドデシルオキシベンゾフェノン、２−（３−ジ−ｔ−ブチル−２−ヒドロキシ−５−メチルフェニル−５−クロロベンゾトリアゾール、２−（２−ヒドロキシ−３，５−ジ−ｔ−アミルフェニル）ベンゾトリアゾール、ｐ−ｔ−ブチルフェニルサリシレート、２，４−ジ−ｔ−ブチルフェニル−３，５−ジ−ｔ−ブチル−４−ヒドロキシベンゾエート、ニッケル  ビス−オルト−エチル（３，５−ジ−ｔ−ブチル−４−ヒドロキシベンジル）ホスホネート、２，２′，６，６′−テトラメチル−４−ピペリジニルセバケート、デカブロモジフェニルオキシド、ドデカクロロジメタンジベンゾシクロオクタン、エチレン  ビス−ジブロモノルボルネンジカルボキシイミド、エチレン  ビス−テトラブロモフタルイミド、三酸化アンチモン、メチルパラベン、エチルパラベン、プロピルパラベン、ハロゲン化アルキル有機化合物、ポリアミド、カーボンブラック、アンチモン金属、赤外吸収性化合物並びにこれらの���合物からなる群から選択される態様５に記載の組成物。
７．該添加剤が約０．５〜３５重量％の範囲内である前記何れかの態様に記載の組成物。
８．該添加剤が約２〜３０重量％の範囲内である態様１に記載の組成物。
９．該添加剤が約５〜２５重量％の範囲内である態様１に記載の組成物。
１０．該ポリマー粒子が約２５〜４５ダイン／cmの表面エネルギーを有する前記態様の何れかに記載の組成物。
１１．該粒子を態様１〜１０の何れかの態様に記載の組成物と接触させる工程を含んでなるポリマー粒子への添加剤の適用方法。
１２．得られた粒子を乾燥させることを更に含む態様１１に記載の方法。
１３．該ポリマー粒子が約２５〜４５ダイン／cmの表面エネルギーを有する態様１１又は１２に記載の方法。
１４．該ポリマー粒子が約２５〜４０ダイン／cmの表面エネルギーを有する態様１１又は１２に記載の方法。
１５．該ポリマー粒子が約２５〜３５ダイン／cmの表面エネルギーを有する態様１１又は１２に記載の方法。
１６．該ポリマー粒子がポリプロピレン、低密度ポリエチレン、高密度ポリエチレン及び線状低密度ポリエチレンからなる群から選択されたポリオレフィン；ポリスチレン、ポリエステル、ポリアミド；結晶性プロピレンエチレンコポリマーからなる群から選択されたコポリマー、ゴム並びにこれらの混合物からなる群から選択される態様１０〜１５の何れかの態様に記載の方法。
１７．疎水性添加剤を、有効量の態様１に記載の水散逸性ポリエステルと接触させて、混合物を形成させる工程及び該混合物を十分に攪拌して、均一ブレンドを製造する工程を含んでなる水性媒体中への疎水性添加剤の分散方法。
１８．該添加剤が酸化防止剤、カップリング剤、耐電防止剤、核生成剤、金属失活剤、滑剤、スリップ剤、粘着防止剤、ＵＶ抑制剤、難燃剤、離型剤、顔料、着色剤、アセトアルデヒド減少化合物、再加熱助剤及びこれらの混合物からなる群から選択される態様１７に記載の方法。
１９．該添加剤が該ブレンドの約０．５〜３５重量％の範囲内である態様１７又は１８に記載の方法。
２０．約２５〜４５ダイン／cmの表面エネルギーを有するポリマー粒子と該ブレンドとを更に接触させることを含んでなる態様１７〜１９の何れかの態様に記載の方法。